【手続補正書】
【提出日】平成26年5月27日(2014.5.27)
【手続補正１】
【補正対象書類名】特許請求の範囲
【補正対象項目名】全文
【補正方法】変更
【補正の内容】
【特許請求の範囲】
【請求項１】
身体開口部を照射するためのシステムであって、
截頭円錐形状の光導波路検鏡であって、
前記身体開口部に挿入可能な開口先端部と、
該先端よりも幅広い開口基部、および
検鏡の基部から検鏡の先端部に至る穴を画成する少なくとも部分的に環状の体壁と、
前記検鏡の前記基部に連結され、前記検鏡の近傍で光源を受け入れるベースと、
を有し、
前記体壁は、内表面および外表面を含み、前記内面と前記外面との間に少なくとも、
前記検鏡の基部から前記検鏡の先端面に流体を送り出すための流体チャネルと、
前記検鏡の前記先端面から前記検鏡の前記基部へ流体を排出する吸引チャネルと、
を部分的に画定し、
前記検鏡は前記体壁にそって光源からの光を伝播する、
ことを特徴とするシステム。
【請求項２】
前記穴が、前記流体チャネルの断面および前記吸引チャネルの断面より大きな断面をもつ、請求項１に記載のシステム。
【請求項３】
前記検鏡の先端面において、前記穴が三日月の断面形状をもつ、請求項２に記載のシステム。
【請求項４】
前記体壁が、前記内面と前記外面との間に、前記穴に隣接し、前記検鏡にそって抽出ツールを受け入れ、ガイドするツールチャネルを更に画成する、請求項１に記載のシステム。
【請求項５】
前記流体チャネルが、前記流体チャネルから送られる流体の位置を示すターゲティング機構を含む、請求項１に記載のシステム。
【請求項６】
前記ターゲティング機構は光学ファイバーである、請求項５に記載のシステム。
【請求項７】
前記ベースは、前記検鏡の基部を受け入れる弓形のクレードルを含む、請求項１に記載のシステム。
【請求項８】
前記検鏡がスナップばめをもつ前記ベースと連結する、請求項７に記載のシステム。
【請求項９】
さらに、前記ベースに配置された複数の光源を含む、請求項１に記載のシステム。
【請求項１０】
前記光源が、前記検鏡の前記基部にある基部面に隣接して、弓状に配置される、請求項９に記載のシステム。
【請求項１１】
前記光源が発光ダイオード（ＬＥＤ）を含む、請求項１０に記載のシステム。
【請求項１２】
前記光源が少なくとも二つの異なる色を含む、請求項１０に記載のシステム。
【請求項１３】
前記検鏡の近くの前記ベースに結合されて拡大手段をさらに含む、請求項１に記載のシステム。
【請求項１４】
前記拡大手段が、前記検鏡の前記穴と軸線上で整合する光学レンズを含む、請求項１３に記載のシステム。
【請求項１５】
前記拡大手段が少なくとも二つの光学レンズを含む、請求項１４に記載のシステム。
【請求項１６】
前記流体チャネルおよび流体源に連結された流体ポンプシステムを更に含み、
該流体ポンプシステムは、前記流体チャネルを通る前記流体源からの流体流量を制御する、請求項１に記載のシステム。
【請求項１７】
前記流体ポンプシステムがさらに前記吸引チャネルに連結され、廃棄流体を濾過するフィルターを含み、
前記流体ポンプシステムは、濾過された流体を前記流体チャネルへと再循環させる、請求項１６に記載のシステム。
【請求項１８】
身体開口部を照射するためのシステムであって、
截頭円錐形状の光導波路検鏡であって、
身体開口部に挿入可能な開口先端部と、
該先端よりも幅広い開口基部、および
体壁
を含むところの検鏡と、
前記検鏡の基部に連結され、前記検鏡に隣接して光源を受け入れるベースと、
を有し、
前記体壁は、該体壁の先端に近接して完全な環状の部分、および前記基部に近接し、前記完全に環状の部分よりも長い部分的に環状の部分を含み、
前記体壁の前記完全に環状の部分は前記検鏡の先端に至る穴を画成し、
前記検鏡は前記体壁にそって光源からの光を伝播する、
ことを特徴とするシステム。
【請求項１９】
前記検鏡が高分子材料から作られる、請求項１８に記載のシステム。
【請求項２０】
前記ベースが、前記検鏡の前記基部を受け入れる弓状のクレードルを含む、請求項１８に記載のシステム。
【請求項２１】
前記検鏡がスナップばめをもつ前記ベースに結合される、請求項１８に記載のシステム。
【請求項２２】
さらに、前記ベースに配置された複数の光源を含む、請求項１８に記載のシステム。
【請求項２３】
前記光源が、前記検鏡の前記基部にある基部面に隣接して、弓状に配置される、請求項２２に記載のシステム。
【請求項２４】
前記光源が、発光ダイオード（ＬＥＤ）を含む、請求項２２に記載のシステム。
【請求項２５】
前記検鏡の根元の前記ベースに結合される拡大手段をさらに含む、請求項１８に記載のシステム。
【請求項２６】
前記拡大手段が光学レンズを含む、請求項２５に記載のシステム。
【請求項２７】
前記拡大手段が円形要素である、請求項２６に記載のシステム。
【請求項２８】
前記光学レンズが前記検鏡の穴と軸線上で整合、請求項２６に記載のシステム。
【請求項２９】
前記光学レンズが前記軸線を中心に回転可能である、請求項２８に記載のシステム。
【請求項３０】
前記光学レンズが２７０度の中心角度をもつ円形形状要素である、請求項２８に記載のシステム。
【請求項３１】
截頭円錐形状の光導波路体をもつ検鏡身体開口部を照射する検鏡であって、
前記截頭円錐形状の光導波路体が、
内表面および外表面を有する環状の体壁、
身体開口部に挿入可能な先端面を有する開口先端部、および
該先端部よりも幅広い開口基部
を含み、
前記体壁の前記内表面は、前記体壁の基部から前記体壁の先端部に至る穴を画成し、
前記光導波路体は前記体壁にそって光を伝播し、
前記体壁は、前記内表面と前記外表面との間に、前記体壁の前記基部から前記体壁の前記先端部の先端面に至る複数のチャネルを画成し、
該複数のチャネルは、
前記体壁の前記基部から前記先端面に流体を送る流体チャネルと、
前記先端面から前記体壁の前記基部へ流体を排出する吸引チャネルと、
を含み、
前記穴は、前記流体チャネルの断面および前記吸引チャネルの断面よりも大きな断面を有する、
ことを特徴とする検鏡。
【請求項３２】
前記体壁の前記基部が基部面を有し、前記流体チャネルおよび吸引チャネルの少なくとも一方が前記体壁内で前記基部面へと伸長する、請求項３１に記載の検鏡。
【請求項３３】
前記体壁の前記先端面において、前記穴が三日月形状の断面をもつ、請求項３１に記載の検鏡。
【請求項３４】
前記体壁の前記先端面において、前記流体チャネルおよび吸引チャネルが、断面が三日月状の前記穴の凹部に位置する断面を有する、請求項３３に記載の検鏡。
【請求項３５】
前記環状の体壁は基部で前記先端よりも厚い、請求項３１に記載の検鏡。
【請求項３６】
截頭円錐形状の光導波路を含む、身体開口部を照射するための検鏡であって、
該検鏡は、
身体開口部に挿入可能な開口先端部と、
該先端部よりも幅広い開口基部、および
体壁
を含み、
前記体壁は、該体壁の前記先端部に近接して完全な環状の部分、および前記体壁の前記基部に近接し、前記完全に環状の部分よりも長い部分的に環状の部分を有し、
前記検鏡は前記体壁にそって光源からの光を伝播し、
前記体壁の前記完全に環状の部分は前記検鏡の前記先端部に至る穴を画成する、
ことを特徴とする検鏡。
【請求項３７】
前記部分的に環状の部分の形状は、２７０度以下となるアーチ状である、請求項３６に記載の検鏡。
【請求項３８】
前記部分的に環状の部分の形状は、１８０度以下となるアーチ状である、請求項３７に記載の検鏡。
【請求項３９】
前記体壁が前記完全に環状の部分より、前記部分的に環状の部分のほうが厚い、請求項３６に記載の検鏡。
【請求項４０】
身体開口部内の異物を照射し、除去する方法であって、
截頭円錐形状の光導波路検鏡の先端部を身体開口部に挿入する工程と、
前記検鏡の基部を光源に連結する工程と、
前記身体開口部の少なくとも一部を照射するために、前記挿入された検鏡により前記光源からの光を伝播させる工程と、
前記異物の一部を取り除くために、前記検鏡に結合されて流体チャネルを通して流体を前記身体開口部に向ける工程と、
前記検鏡に連結された吸引チャネルを通して、前記身体開口部から流体および取り除かれた異物を排出する工程と、
前記排出された流体を濾過する工程と、
前記濾過された流体を、前記流体チャネルを通して前記身体開口部へ再度向ける工程と、
を含む方法。
【請求項４１】
さらに、抽出ツールを前記異物に向けてガイドする工程を含む、請求項４０に記載の方法。
【請求項４２】
さらに、流体が向けられたターゲット位置を示す工程を含む、請求項４０に記載の方法。
【請求項４３】
前記流体が向けられたターゲット位置を示す工程が、第二の光源を第二の導波路に連結し、該第二の導波路により前記第二の光源からの光を前記流体が向けられたターゲット位置に伝搬させる工程を含む、請求項４２に記載の方法。